(57)【特許請求の範囲】
【請求項１】
横杆により連結された左右１対の支柱の下端部にベース棚板を設けるとともに、左右の支柱に、前方を向く左右１対の側面板を設け、この両側面板間に、前面板と、その上端に後向きに連設された上面板とからなる側面視倒立Ｌ字状をなす左右１対の引き違い扉を、前方に位置する引き違い扉の上面板の下方に、後方の引き違い扉の上面板の内側端部が入り込むように配設し、かつ両引き違い扉の前面板の下端と上面板の後端部とを、それぞれ、前記ベース棚板の上面に設けた下部ガイド手段と、左右の支柱の上端部に設けた上部ガイド手段とにより、左右方向に移動可能に支持し、さらに前記下部及び上部ガイド手段を、それぞれ、側面視上向きコ字状断面の前後２条のガイド溝を有するガイドレールとし、前記左右の引き違い扉における前記前面板の下端部に、下部のガイドレールの前後のガイド溝に沿って転動する、前後方向を向く軸回りに回転する左右１対の車輪を、同じく上面板の後端部に、上部のガイドレールの前後のガイド溝に沿って左右方向に転動する左右１対ずつのガイドローラを、それぞれ設け、前記上部のガイドレールの両側端部に、後向きに突出する下向き鉤状の係止爪を後向きに突設し、両係止爪を、前記左右の支柱の前面に設けた係止孔に係合させることにより、上部のガイドレールを、左右の支柱の上端部前面に取付けたことを特徴とする商品陳列什器。
【請求項２】
左右の側面板及び引き違い扉を、透明な合成樹脂により形成してなる請求項１記載の商品陳列什器。
【請求項３】
左右の側面板と引き違い扉により囲まれた内方において、左右の支柱の前面に、上下複数段の棚板を、上下位置変更可能に取付けてなる請求項１または２記載の商品陳列什器。
【請求項４】
上部のガイドレールに、その前後のガイド溝に沿って転動するガイドローラの上方を覆うレールカバーを設けてなる請求項１〜３のいずれかに記載の商品陳列什器。
【請求項５】
レールカバーを、上部のガイドレールに、引き違い扉内の前方から、ねじにより固定してなる請求項４記載の商品陳列什器。
【請求項６】
左右の引き違い扉における前面板の上下方向の中間部の対向面のいずれか一方に、左右方向を向くガイド溝を、かつ他方に、前記ガイド溝に左右方向に摺動可能に係合する係合片を、それぞれ設けてなる請求項１〜５のいずれかに記載の商品陳列什器。
【発明の詳細な説明】
【技術分野】
【０００１】
本発明は、スーパーマーケットやデパート、コンビニエンスストア等において使用される商品陳列什器に関する。
【背景技術】
【０００２】
商品陳列什器としては、例えば特許文献１に記載されている開放型と、特許文献２に記載されている、前面が透明な引き違い扉により開閉可能とされたケース型などのものがある。
【特許文献１】特開２００６−２９６９０５号公報
【特許文献２】特開２０００ー２９１３０４号公報
【発明の開示】
【発明が解決しようとする課題】
【０００３】
上記特許文献１に記載されている開放型の商品陳列什器は、各段の棚板への商品の陳列や入れ替え作業等を容易に行いうるとともに、来客が陳列商品を容易に手に取ったりすることができるという利点がある。
しかし、全ての陳列商品が露呈しているので、店員が不在となったり、目が届かない場所に什器を設置したりした際に、商品が盗難に遭う恐れがあるので、例えば高価格帯の化粧品やブランド品等の陳列には適さない。
【０００４】
特許文献２のようなケース型の商品陳列什器においては、商品は什器内に収容されているので、盗難に遭う恐れは小さい。
しかし、什器の両側面と上面は、側面板と天板により塞がれているので、商品の陳列や出し入れ作業は、前面に設けた引き違い扉の開閉によってのみしか行うことができず、作業性が悪い。
また、商品を視認しうるのは、什器前面の透明な引き違い扉を通してのみであり、しかも、商品陳列什器の両側面と上面は、不透明な側面板と天板により塞がれているので、側方や天井からの照明が什器内部の陳列商品に射し込みにくく、ディスプレイ効果が低いという問題もある。
【０００５】
本発明は、上記問題点に鑑みてなされたもので、什器内への商品の陳列や出し入れ作業が容易であるとともに、陳列商品が盗難に遭う恐れが小さく、かつディスプレイ効果の高い商品陳列什器を提供することを目的としている。
【課題を解決するための手段】
【０００６】
本発明によると、上記課題は、次のようにして解決される。
（１）横杆により連結された左右１対の支柱の下端部にベース棚板を設けるとともに、左右の支柱に、前方を向く左右１対の側面板を設け、この両側面板間に、前面板と、その上端に後向きに連設された上面板とからなる側面視倒立Ｌ字状をなす左右１対の引き違い扉を、前方に位置する引き違い扉の上面板の下方に、後方の引き違い扉の上面板の内側端部が入り込むように配設し、かつ両引き違い扉の前面板の下端と上面板の後端部とを、それぞれ、前記ベース棚板の上面に設けた下部ガイド手段と、左右の支柱の上端部に設けた上部ガイド手段とにより、左右方向に移動可能に支持する。
【０００７】
（２）上記(１)項において、左右の側面板及び引き違い扉を、透明な合成樹脂により形成する。
【０００８】
（３）上記(１)または(２)項において、左右の側面板と引き違い扉により囲まれた内方において、左右の支柱の前面に、上下複数段の棚板を、上下位置変更可能に取付ける。
【０００９】
（４）上記(１)〜(３)項のいずれかにおいて、下部及び上部ガイド手段を、それぞれ、側面視上向きコ字状断面の前後２条のガイド溝を有するガイドレールとし、左右の引き違い扉における前面板の下端部に、下部のガイドレールの前後のガイド溝に沿って転動する、前後方向を向く軸回りに回転する左右１対の車輪を、同じく上面板の後端部に、上部のガイドレールの前後のガイド溝に沿って左右方向に転動する左右１対ずつのガイドローラを、それぞれ設ける。
【００１０】
（５）上記(４)項において、上部のガイドレールの両側端部に、後向きに突出する下向き鉤状の係止爪を後向きに突設し、両係止爪を、左右の支柱の前面に設けた係止孔に係合させることにより、上部のガイドレールを、左右の支柱の上端部前面に取付ける。
【００１１】
（６）上記(４)または(５)項において、上部のガイドレールに、その前後のガイド溝に沿って転動するガイドローラの上方を覆うレールカバーを設ける。
【００１２】
（７）上記(６)項において、レールカバーを、上部のガイドレールに、引き違い扉内の前方から、ねじにより固定する。
【００１３】
（８）上記(１)〜(７)項のいずれかにおいて、左右の引き違い扉における前面板の上下方向の中間部の対向面のいずれか一方に、左右方向を向くガイド溝を、かつ他方に、前記ガイド溝に左右方向に摺動可能に係合する係合片を、それぞれ設ける。
【発明の効果】
【００１４】
上記(１)項に記載の発明によれば、左右の引き違い扉は、側面視倒立Ｌ字状をなしているので、それを開くと、什器の前方と上方が大きく開放することとなり、什器内への商品の陳列や出し入れ作業が容易となる。
また、什器の両側面は、側面板により、同じく前面と上面は、側面視倒立Ｌ字状をなす左右の引き違い扉により、それぞれ覆われているので、什器内の商品が盗難に遭う恐れは小さい。
【００１５】
上記(２)項に記載の発明によれば、透明な左右の側面板及び引き違い扉を通して、什器内の陳列商品を視認することができ、しかも、側方及び天井より、照明が什器内に射し込み易くなるので、ディスプレイ効果が高まる。
また、合成樹脂よりなる側面板及び引き違い扉は、ガラス等に比して軽いので、商品陳列什器の軽量化が図れる。
【００１６】
上記(３)項に記載の発明によれば、上下複数段の棚板上に、多数の商品を体裁よく陳列しうるとともに、商品の種類等により棚板の上下位置を変更することにより、ディスプレイ効果を高めることができる。特に、側面板及び引き違い扉を透明とした際のディスプレイ効果が大となる。
【００１７】
上記(４)項に記載の発明によれば、左右の引き違い扉における前面板の下端には車輪が、上面板の後端部にはガイドローラが、それれぞれ設けられているので、両引き違い扉を、上下のガイドレールに沿って、がたなく円滑に、かつ軽い力で軽快に開閉することができる。
【００１８】
上記(５)項に記載の発明によれば、上部のガイドレールを、左右の支柱の前面に、ねじ等の固定手段を用いることなく、容易に取付けることができる。
【００１９】
上記(６)項に記載の発明によれば、上部のガイドレールに取付けたレールカバーが、左右の引き違い扉が大きく浮き上がるのを防止し、それらのガイドローラがガイドレールより脱輪するのを阻止するので、故意に引き違い扉が持ち上げられて、陳列商品が盗難に遭うという恐れがない。
また、レールカバーにより、ガイドレールのガイド溝内に、ごみ等の異物が入り込むのが防止されるので、引き違い扉の上端後部の円滑な移動が妨げられることもない。
【００２０】
上記(７)項に記載の発明によれば、引き違い扉を閉じた状態では、その内方からレールカバーを固定しているねじを回動させ得ないので、レールカバーを取外すことはできず、従って引き違い扉が故意に持ち上げられて、陳列商品が取られるという恐れはない。
【００２１】
上記(８)項に記載の発明によれば、左右の引き違い扉の前面板の中間部が、互いに離間する前後方向に撓むのが防止され、それらの対向面間に手が入る大きな隙間が形成されることがないので、防盗性が高まる。
【発明を実施するための最良の形態】
【００２２】
以下、本発明の実施形態を、図面に基づいて説明する。
図１は、本発明の商品陳列什器の斜視図、図２は、同じく拡大平面図、図３は、図２のIII-III線縦断側面図である。
【００２３】
商品陳列什器は、左右１対の支柱１、１と、それらの上下の対向面同士を連結している横杆２、２と、左右の支柱１と上下の横杆２により囲まれた枠状空間に嵌め込まれた背板３とを備えている。
【００２４】
左右の支柱１における下端部の前面には、前方を向く基台４の後端が固定され、その上面には、ベース棚板５が取付けられている。
左右の支柱１の前面には、左右２列の係止孔６が上下方向に向かって多数列設され、その内側の列の係止孔６における上下複数箇所には、図３に示すように、ブラケット７を介して、上下複数段の棚板８(図１、図２においては図示略)が、上下位置変更可能として取付けられている。
【００２５】
各棚板８の前方と上方は、側面視後向き倒立Ｌ字状をなす左右の引き違い扉９、１０により、同じく左右両側方は、側面板１１、１１により覆われている。
左右の引き違い扉９、１０と側面板１１は、例えば透明なアクリル等の合成樹脂により形成され、軽量化が図られている。
【００２６】
左右の側面板１１は、図４に示すサイドフレーム１２(左右対称に付き、左方のみ図示する)に、次のようにして取付けられている。
サイドフレーム１２は、前後寸法がベース棚板５の前後寸法よりも所要寸法短寸とされた前後方向を向く上部フレーム１２aと、その前端部より垂下する、上下寸法がベース棚板５から上方の支柱１の上下寸法とほぼ等しい前部フレーム１２bとにより、側面視後向き倒立Ｌ字状に形成されている。
【００２７】
上部フレーム１２aの後端部下面には、後端に下向き鉤状の上下２個の係止爪１３を有する取付金具１４が固着されている。
側面板１１の前端部の上下複数箇所と後端上部とに外側方より挿入した止めねじ１５を、上記前部フレーム１２bと取付金具１４に設けためねじ孔１６に螺合することにより、側面板１１は、サイドフレーム１２の外側面に取付けられている。
【００２８】
側面板１１の後端部における下部と中間部の内側面には、上記取付金具１４と同様の取付金具１４、１４が、止めねじ１５により固定されており、これら上下３個の取付金具１４の各係止爪１３を、支柱１の前面における外側の列の複数の係止孔６に係合させることにより、側面板１１の後端が、支柱の前面に取付けられている。
【００２９】
サイドフレーム１２における前部フレーム１２bの下端には、側面視下向きコ字状断面をなす内向きの固定片１７が固着され、この固定片１７は、図３に示すように、ベース棚板５の前端部上面に、ねじ１８により固定されている(図５の拡大図参照)。
【００３０】
図３、図４及び図６の拡大図に示すように、左右の支柱１の上端部前面には、左右の引き違い扉９、１０における上面板９a、１０aの後端部をガイドする、側面視上向きコ字状の前後２条の左右方向を向くガイド溝１９、１９を有するガイドレール２０が、その側端に固着された取付金具２１、２１の後端の係止爪２２、２２を、支柱１の上端部前面における内側の列の係止孔６に係合することにより、左右のサイドフレーム１２の上端後部の対向面間に位置するようにして取付けられている。
【００３１】
ガイドレール２０の後面には、前後のガイド溝１９の上方を覆う側面視前向き倒立Ｌ字状断面のレールカバー２３が、左右複数のねじ２４により固定されている。
【００３２】
図３及び図５の拡大断面図に示すように、左右のサイドフレーム１２における前部フレーム１２bの対向面間において、ベース棚板５の上面に固定された左右の固定片１７には、側面視下向きコ字状断面の扉支持杆２５の側端部が嵌合され、固定片１７固定用のねじ１８により固定されている。
扉支持杆２５の上面には、左右の引き違い扉９、１０における前面板９b、１０b の下端を支持する前後２条の上向きコ字状のガイド溝２６、２６を有するガイドレール２７が、左右方向に全長に亘って固着されている。
【００３３】
前方に位置する右方の引き違い扉１０における上面板１０a の前後寸法と、前面板１０b の上下寸法は、側面板１０の前後寸法と上下寸法とほぼ等しく、後方に位置する左方の引き違い扉９における上面板９aの前後寸法と、前面板９bの上下寸法は、右方の引き違い扉１０と近接する後方に入り込むように、右方の引き違い扉１０の上面板１０a及び前面板１０bの寸法よりも若干小とされている。
【００３４】
また、両引き違い扉９、１０の左右寸法は、左右のサイドフレーム１２、１２の対向面間の寸法を２分する寸法よりも若干大とされている。
すなわち、両扉９、１０を閉じたとき、前方に位置する引き違い扉１０の前面板１０の内端部の後方に、後方に位置する引き違い扉９の前面板９bの内端部が位置するとともに、前方の引き違い扉１０の上面板１０aの内端部の下方に、後方の引き違い扉９の上面板９aの内端部が位置して重なり合うようにしてある。
【００３５】
さらに、左右の引き違い扉９、１０における上面板９a、１０aの前後寸法は、最上段の棚板８の上方を覆いうる寸法とされ、同じく、前面板９b、１０b の上下寸法は、各段の棚板８の前方を覆いうる寸法とされている。
【００３６】
図２及び図６に示すように、右方の引き違い扉１０における上面板１０aの後端部には、側面視前向き倒立Ｌ字状をなすローラ支持ブラケット２８における上部のコ状部２８aが、左右方向に全長に亘って後方より圧嵌されている。
上面板１０aの後端部の左右両側部には、垂直軸２９、２９が、ローラ支持ブラケット２８のコ状部２８aを貫通するようにして、下向きに取付けられ、両垂直軸２９には、水平ガイドローラ３０、３０が、ガイドレール２０における後部側のガイド溝１９内を左右方向に転動しうるようにして、回転自在に枢着されている。
【００３７】
図２及び図７に示すように、ローラ支持ブラケット２８の垂下片２８bにおける左右の水平ガイドローラ３０と近接する内方には、前後方向を向く水平軸３１、３１が前向きに取付けられ、両水平軸３１には、垂直ガイドローラ３２、３２が、ガイドレール２０の後部側のガイド溝１９の内底面上を左右方向に転動するようにして、回転自在に枢着されている。
【００３８】
左方の引き違い扉９における上面板９aの後端部にも、図２、図８及び図９に示すように、上記と同様、左右１対ずつの垂直軸２９、２９と、水平軸３１、３１が取付けられ、それらに枢着された水平ガイドローラ３０、３０と垂直ガイドローラ３２、３２は、ガイドレール２０の前部側のガイド溝１９に、左右方向に転動可能に嵌合されている。
【００３９】
これにより、左右の引き違い扉９、１０における上面板９a、１０aの後端部は、ガイドレール２０の前後のガイド溝１９、１９に案内されて、左右方向に円滑に移動することができる。
【００４０】
図３及び図５の拡大断面図に示すように、左右の引き違い扉９、１０における前面板９b、１０b の下端部には、側面視Ｈ字状断面のサッシュ部材３３、３３の上半部が圧嵌され、両サッシュ部材３３の下半部における両側部のコ状部内には、前後方向を向く枢軸回りに回転する左右１対ずつの車輪３４、３４が取付けられている。
左方の引き違い扉９側の車輪３４は、ベース棚板５の上面に設けたガイドレール２７の後部側のガイド溝２６に沿って、右方の引き違い扉１０側の車輪３４は、同じく前部側のガイド溝２６に沿って、それぞれ左右方向に転動するようになっている。これにより、左右の引き違い扉９、１０を、軽快に開閉することができる。
【００４１】
図１、図３及び図１０の拡大断面図に示すように、右方の引き違い扉１０における前面板１０b の上下方向の中央部後面には、側面視倒立Ｌ字状をなす透明なアクリルよりなる左右方向を向くガイドレール３５が固着され、その下向片３５aと前面板１０b との対向面間には、下方と両側方に開口するガイド溝３６が形成されている。
また、左方の引き違い扉９における前面板９bの右端部の上下方向の中央部前面には、短寸の透明なスライド部材３７が固着され、それに連設された上向きの係合片３７aは、上記ガイド溝３６に、左右方向に摺動可能に係合されている。
これにより、左右の引き違い扉９、１０の前面板９b、１０b の中間部が、互いに離間する前後方向に撓むのが防止され、それらの対向面間に手が入る大きな隙間が形成されることがないので、防盗性が高まる。
【００４２】
なお、上記ガイドレール３５を設ける代わりに、右方の引き違い扉１０における前面板１０b の後面に、後方と両側方に開口するあり溝状断面のガイド溝を、左右方向に向かって形成し、このガイド溝に、左方の引き違い扉９の前面板９bの前面に設けた、ガイド溝と補形をなす係合片を、左右方向に摺動可能に係合させてもよい。
【００４３】
右方の引き違い扉１０におけるサッシュ部材３３の左端部前面には、左方の引き違い扉９のサッシュ部材３３の右端部に向かって突入することにより、両引き違い扉９、１０を施錠しうる、例えばプッシュロック式の施錠装置３８が取付けられている。
また、両引き違い扉９、１０における左端部と右端部との上下方向の中央部には、開閉用の手掛け３９、３９が取付けられている。
【００４４】
以上説明したように、上記実施形態の商品陳列什器においては、左右の引き違い扉９、１０を、側面視倒立Ｌ字状としてあるので、それを開くと、什器の前方と上方が大きく開放することとなり、各段の棚板８への商品の陳列や出し入れ作業等を容易に行うことができる。
また、各段の棚板８の両側方は、側面板１１、１１により、同じく前方と上方は、側面視後向き倒立Ｌ字状をなす左右の引き違い扉９、１０により、それぞれ覆われているので、各段の棚板８に陳列した商品が盗難に遭う恐れは小さい。
【００４５】
さらに、側面板１１及び引き違い扉９、１０は透明であり、陳列商品が周囲より視認し易くなるだけでなく、側方及び天井からの照明が、透明な側面板１１と上面板９a、１０aを通して、什器内に射し込み易くなるので、ディスプレイ効果が高まる。
【００４６】
上部のガイドレール２０に取付けたレールカバー２３が、左右の引き違い扉９、１０が大きく浮き上がって、それらのガイドローラ３０、３２がガイドレール２０より脱輪するのを防止するので、故意に引き違い扉９、１０が持ち上げられて、陳列商品が盗難に遭うという恐れがない。
【００４７】
また、レールカバー２３により、ガイドレール２０のガイド溝１９内に、ごみ等の異物が入り込むのが防止されるので、引き違い扉９、１０の上端後部の円滑な移動が妨げられることもない。
【００４８】
上記実施形態では、両引き違い扉９、１０の上面板９a、１０aの後端部に、左右１対ずつの水平ガイドローラ３０と、垂直ガイドローラ３２を設けているが、垂直ガイドローラ３２を省略し、水平ガイドローラ３０のみとすることもある。
また、これらのガイドローラ３０、３２の代わりに、例えば摩擦抵抗の小さな合成樹脂等のスライダを設け、このスライダを、ガイドレール２０の前後のガイド溝１９に摺動可能に嵌合することもある。
左右の側面板１１及び引き違い扉９、１０は、不透明な材料で形成することもある。
【図面の簡単な説明】
【００４９】
【図１】本発明の商品陳列什器の斜視図である。
【図２】同じく、拡大平面図である。
【図３】図２のIII-III線縦断側面図である。
【図４】支柱への側面板と上部のガイドレールの取付形態を示す分解斜視図である。
【図５】図３のＡ部の拡大図である。
【図６】図２のVI-VI線拡大縦断側面図である。
【図７】同じくVII-VII線拡大縦断側面図である。
【図８】同じくVIII-VIII線拡大縦断側面図である。
【図９】同じくIX-XI線拡大縦断側面図である。
【図１０】図１のX-X線拡大縦断側面図である
【符号の説明】
【００５０】
１    支柱
２    横杆
３    背板
４    基台
５    ベース棚板
６    係止孔
７    ブラケット
８    棚板
９    左方の引き違い扉
９a   上面板
９b   前面板
１０  右方の引き違い扉
１０a 上面板
１０b 前面板
１１  側面板
１２  サイドフレーム
１２a 上部フレーム
１２b 前部フレーム
１３  係止爪
１４  取付金具
１５  止めねじ
１６  めねじ孔
１７  固定片
１８  ねじ
１９  ガイド溝
２０  ガイドレール
２１  取付金具
２２  係止爪
２３  レールカバー
２４  ねじ
２５  扉支持杆
２６  ガイド溝
２７  ガイドレール
２８  ローラ支持ブラケット
２８a コ状部
２８b 垂下片
２９  垂直軸
３０  水平ガイドローラ
３１  水平軸
３２  水平ガイドローラ
３３  サッシュ部材
３４  車輪
３５  ガイドレール
３６  ガイド溝
３７  スライド部材
３７a 係合片
３８  施錠装置
３９  手掛け
【図１】
0005226286.tif 000002
【図２】
0005226286.tif 000003
【図３】
0005226286.tif 000004
【図４】
0005226286.tif 000005
【図５】
0005226286.tif 000006
【図６】
0005226286.tif 000007
【図７】
0005226286.tif 000008
【図８】
0005226286.tif 000009
【図９】
0005226286.tif 000010
【図１０】
0005226286.tif 000011